(57)【要約】【課題】靴を履いた状態で容易に履ける長靴を提供する。【解決手段】長靴１００は長靴本体部１０と長靴底部２０と外周調整部材３０と足首締付部材４１および４２とを備える。長靴本体部１０は軟質防水性の素材により構成されており両底面が開口した略筒形状をしている。長靴底部２０は靴底形状をしており長靴本体部１０の底面外周部分と長靴底部２０の外周部分とが結合されている。外周調整部材３０は長靴本体部１０における足首より上の周囲を覆う部分である足首上覆部１２の外周を短く調整させる部材である。足首締付部材４１および４２は長靴本体部１０の足首の周囲を覆う部分を長靴本体部１０の表面から締め付ける部材である。長靴１００に靴を履いた状態で足を挿入した後に、外周調整部材３０により足首上覆部１２の外周を短く調整して足首締付部材４１および４２により足首の周囲を覆う部分を締め付ける。  【選択図】  図１
2008061718.tif 000002
【特許請求の範囲】
【請求項１】
靴を履いた状態で履く長靴であって、
両底面が開口した略筒形状をしており前記靴から足首より上までの周囲を覆う軟質防水性の素材により構成された長靴本体部と、
前記長靴本体部における一方の底面の開口を閉じる靴底形状の長靴底部と、
前記長靴本体部における足首より上の周囲を覆う部分の所定の位置に設けられた前記長靴本体部における足首より上の周囲を覆う部分の外周を短く調整させる部材である外周調整部材と、
前記長靴本体部の足首の周囲を覆う部分を前記長靴本体部の表面から締め付ける足首締付部材と
を具備することを特徴とする長靴。
【請求項２】
前記外周調整部材は、
前記長靴本体部における足首より上の周囲を覆う部分の所定の位置に設けられた結合部材と、
前記結合部材から所定距離離れた位置に設けられ、前記結合部材と結合する構造をした被結合部材と
を備え、
前記結合部材と前記被結合部材とを結合させることによって前記長靴本体部における足首より上の周囲を覆う部分の外周を短く調整させることを特徴とする請求項１記載の長靴。
【請求項３】
前記長靴本体部の足首周り付近に設けられた前記長靴本体部の弛みである空気循環補助部をさらに具備することを特徴とする請求項１記載の長靴。
【請求項４】
前記軟質防水性の素材は、ゴム引布であることを特徴とする請求項１乃至３記載の長靴。
【発明の詳細な説明】
【技術分野】
【０００１】
本発明は、長靴に関し、特に靴を履いた状態で履ける長靴に関する。
【背景技術】
【０００２】
図６は、従来の長靴９００を示す図である。従来の長靴９００は、ラバー等の素材により図６に示すような所定の形に形成されていた。すなわち、足首より上の足首上部９０１は円筒形状になっており、足首より下の足首下部９０２は足の周囲を覆う形状になっていた。この従来の長靴９００には問題点があった。
【０００３】
その問題点とは、長靴９００を履く動作において、足首上部９０１より足を挿入して足首下部９０２に足を挿入する際に足首下部９０２に足を入れ難いことである。この問題点を解消するため、通常足のサイズよりも大きなサイズの長靴を履くことが多かった。ところが通常足のサイズよりも大きなサイズの長靴を履くとその長靴は足にフィットしていないため、歩きづらくなっていた。
【０００４】
以上の問題点を解消するため、従来足の甲部分から足の脛部分にかけてファスナーが設けられたファスナー付長靴が提案されていた（例えば、特許文献１参照。）。このファスナー付長靴によれば、ファスナーを開いた状態では足を挿入する部分が広く開放されているため、履きやすい長靴と言える。
【特許文献１】特開２００１−０９５６０２（図１）
【発明の開示】
【発明が解決しようとする課題】
【０００５】
しかしながら、上述のファスナー付長靴は、上記述べた従来の問題点を解決するが、それでも履きやすい長靴とは言い難い。すなわち、ファスナー付長靴は、ファスナーを閉めると従来と同様長靴全体が所定の形に形成されているため、例えば長靴を履く人の足の形が上記形成された所定の形に合わない場合もある。この場合、ファスナー付長靴は、履き心地の良い長靴とは言えない。さらに、靴を履いた状態で履ける長靴があれば、足に違和感を感じることなく長靴を心地よく履ける。
【０００６】
そこで、本発明は、靴を履いた状態で容易に履ける長靴を提供することを目的とする。
【課題を解決するための手段】
【０００７】
本発明は、上記課題を解決するためになされたものであり、本発明の長靴は、靴を履いた状態で履く長靴であって、両底面が開口した略筒形状をしており上記靴から足首より上までの周囲を覆う軟質防水性の素材により構成された長靴本体部と、上記長靴本体部における一方の底面の開口を閉じる靴底形状の長靴底部と、上記長靴本体部における足首より上の周囲を覆う部分の所定の位置に設けられた上記長靴本体部における足首より上の周囲を覆う部分の外周を短く調整させる部材である外周調整部材と、上記長靴本体部の足首の周囲を覆う部分を上記長靴本体部の表面から締め付ける足首締付部材とを具備することを特徴とするものである。これにより、靴を履いた状態で容易に長靴を履かせるという作用をもたらす。
【０００８】
また、本発明の長靴において、上記外周調整部材は、上記長靴本体部における足首より上の周囲を覆う部分の所定の位置に設けられた結合部材と、上記結合部材から所定距離離れた位置に設けられ、上記結合部材と結合する構造をした被結合部材とを備え、上記結合部材と上記被結合部材とを結合させることによって上記長靴本体部における足首より上の周囲を覆う部分の外周を短く調整させることを特徴とするものである。これにより、足首より上部分の長靴の外周を容易に調整させるという作用をもたらす。
【０００９】
また、本発明の長靴における上記外周調整部材において、上記結合部材は直方体形状の向かい合う一対の側面に複数の三角柱形状の突起が連続して並んだ形状をしており、上記被結合部材は角筒形状の向かい合う一対の内側側面に複数の三角柱形状の突起が連続して並んだ形状をしており、上記結合部材を上記被結合部材に挿入させて上記結合部材における三角柱形状の突起と上記被結合部材における三角柱形状の突起とを噛み合わせることによって上記結合部材と上記被結合部材とを結合させることを特徴とする。これにより、足首より上部分の長靴の外周を細かく調整させるという作用をもたらす。
【００１０】
また、本発明の長靴において、上記長靴本体部の足首周り付近に設けられた上記長靴本体部の弛みである空気循環補助部をさらに具備することを特徴とする。これにより、長靴内部の空気の循環を効率よくさせるという作用をもたらす。
【００１１】
また、本発明の長靴において、上記軟質防水性の素材は、ゴム引布であることを特徴とするものである。これにより、長靴の防水性および通気性を強化させるという作用をもたらす。また、長靴を軽量化させるという作用をもたらす。
【発明の効果】
【００１２】
本発明によれば、靴を履いた状態で容易に長靴を履くことができるという優れた効果を奏し得る。
【発明を実施するための最良の形態】
【００１３】
次に本発明の実施の形態について図面を参照して詳細に説明する。
【００１４】
図１は、本発明の実施の形態における長靴１００を示す図である。本発明の実施の形態における長靴１００は、図１に示すように靴を履いた状態の足６００を長靴１００の内部に挿入して履くものである。この本発明の実施の形態における長靴１００は、長靴本体部１０と、長靴底部２０と、外周調整部材３０と、足首締付部材４１および４２とを備える。
【００１５】
長靴本体部１０は、両底面が開口した略筒形状をしている。なお、本発明の実施の形態における略筒形状とは、円筒形状や楕円筒形状の他、上底面が略円形状または略楕円形状で下底面が靴底形状の側面が閉じた形状のものも含むが、これに限るものではない。
【００１６】
長靴本体部１０には、長靴本体部１０の足首周り付近に長靴本体部１０の弛みである空気循環補助部１４が設けられている。これについては後述する。そして、長靴本体部１０の長さは、図１に示す靴を履いた足６００の靴底から足首より上までの長さである。長靴本体部１０の長さは、長靴１００の用途により様々な長さとすることが想定される。
【００１７】
また、長靴本体部１０の材質としては、軟質防水性の素材を用いる。軟質防水性の素材としては、例えばゴム引布のような防水性ある繊維素材を含んだ素材が想定されるが、これに限るものではない。なお、本発明においてゴム引布とは、様々な種類のゴムを基布となる繊維の上にコーディング加工又はトッピング加工した素材と言うものとする。そして、特に長靴本体部１０の材質は、ゴム引布のうち、ナイロンを基布とし、ナイロンの上にハイパロン（登録商標）ゴムをトッピング加工したゴム引布を用いることが好ましい。
【００１８】
長靴本体部１０の材質としてゴム引布を用いると、長靴１００の防水性、通気性を確保でき、さらに長靴１００の軽量化も図ることができる。また、長靴本体部１０の材質としてゴム引布を用いると、長靴本体部１０を折り畳むことができるため、長靴１００の持ち運びや収納が容易になるという利点もある。
【００１９】
また、長靴本体部１０における上底面付近の縁および足の脹脛からアキレス腱付近までの足の後ろ側に、例えば合成樹脂等により形成された長靴形成芯１１を取り付ける。これにより、長靴本体部１０を、例えばゴム引布のような軟質防水性ある繊維素材を含んだ素材により構成しても、図１に示すように長靴本体部１０に略筒形状を維持させることが容易になる。
【００２０】
長靴底部２０は、靴底形状をしている。そして、長靴底部２０の外周部分は、長靴本体部１０の下底面外周部分と結合している。これにより、長靴底部２０は、長靴本体部１０における下底面の開口を閉じた状態にする。そして、靴を履いた状態の足６００に長靴１００を履かせる場合、靴６１０の靴底を長靴底部２０の上に置く。
【００２１】
外周調整部材３０は、長靴本体部１０における足首より上の周囲を覆う部分である足首上覆部１２の外周を短く調整させる部材である。外周調整部材３０は、足首上覆部１２の表面の所定の位置に設ける。
【００２２】
本発明の実施の形態における長靴１００において外周調整部材３０は、結合部材３１および被結合部材３２と、ボタン３３および３４と、ボタン受け部材３５および３６とを備える。結合部材３１は、被結合部材３２に重ね合わせると被結合部材３２と結合する構造をしている部材である。
【００２３】
結合部材３１および被結合部材３２としては、例えばマジックテープ（登録商標）が想定されるが、これに限るものではない。結合部材３１および被結合部材３２としてその他、例えばくの字形状の掛け金および略輪状の掛け金受け部材や、ボタンおよびボタン受け部材等を採用してもよい。
【００２４】
結合部材３１および被結合部材３２は、例えば足首上覆部１２における脛を覆う部分付近に設ける。そして、結合部材３１および被結合部材３２は、互いに並行に所定距離離して長靴本体部１０の高さ方向に沿って設ける。
【００２５】
結合部材３１および被結合部材３２として、マジックテープ（登録商標）を採用した場合、結合部材３１および被結合部材３２の長さは足首上覆部１２の高さ方向の長さとほぼ同じ長さとすることが想定される。結合部材３１および被結合部材３２として、その他の部材を採用した場合もマジックテープ（登録商標）の例に倣って結合部材３１および被結合部材３２を配置させる。
【００２６】
ボタン３３および３４と、ボタン受け部材３５および３６とは、長靴本体部１０の上底面の縁の所定の位置に設けられている。本発明の実施の形態における長靴１００においては、ボタン３３とボタン受け部材３５、ボタン３４とボタン受け部材３６とがそれぞれ結合する。ボタン３３とボタン受け部材３５、ボタン３４とボタン受け部材３６とをそれぞれ結合させる際に、ボタン３３および３４に設けられている（図示しない）ボタン突起部は、それぞれ挿通孔３７および３８を通してボタン受け部材３５および３６の（図示しない）突起穴に挿入される。
【００２７】
なお、本発明の実施の形態における長靴１００においては、長靴本体部１０の上底面の縁の所定の位置にボタン３３および３４と、ボタン受け部材３５および３６とが設けられているが、ボタンおよびボタン受け部材ではなく、例えばマジックテープ（登録商標）やくの字形状の掛け金および略輪状の掛け金受け部材を設けてもよい。
【００２８】
なお、結合部材３１および被結合部材３２と、ボタン３３および３４と、ボタン受け部材３５および３６とにより足首上覆部１２の外周を短く調整させる方法は図２において説明する。
【００２９】
足首締付部材４１および４２は、長靴本体部１０の足首の周囲を覆う部分を長靴本体部１０の表面から締め付ける部材である。これにより、長靴本体部１０における足首より下の靴６１０を覆う部分である靴覆部１３は靴６１０にフィットした形状になる。
【００３０】
足首締付部材４１および４２としては、例えばマジックテープ（登録商標）が想定されるが、これに限るものではない。足首締付部材４１および４２は、例えば長靴本体部１０の靴の側面を覆う部分の所定の位置に設けられる。
【００３１】
図２は、本発明の実施の形態における長靴１００の足首上覆部１２の外周を短く調整する様子を示す図である。図２（ａ）は、結合部材３１を被結合部材３２と結合させる途中の様子を示す図である。
【００３２】
結合部材３１を被結合部材３２と結合させようとして結合部材３１を被結合部材３２に近づけると、図２（ａ）に示すように結合部材３１と被結合部材３２との中間線１５に沿って、中間線１５と結合部材３１との間にある足首上覆部１２の一部である足首上覆一部１６が、中間線１５と被結合部材３２との間にある足首上覆部１２の一部である足首上覆一部１７へ折り返される。また、結合部材３１が被結合部材３２に近づくと、同時にボタン３３および３４はそれぞれボタン受け部材３５および３６に近づく。
【００３３】
図２（ｂ）は、結合部材３１と被結合部材３２、ボタン３３および３４とボタン受け部材３５および３６とを結合させた後の足首上覆部１２の様子を示す図である。結合部材３１と被結合部材３２、ボタン３３および３４とボタン受け部材３５および３６とを結合させた場合、足首上覆一部１６が足首上覆一部１７と重なり合う。これにより、足首上覆部１２の外周は、足首上覆一部１６の横方向の長さだけ短くなることになり、足首上覆部１２の外周は足首より上の外周に適合した長さになる。
【００３４】
なお、この場合、長靴形成芯１１は、ボタン３３とボタン受け部材３６との間には存在しないように形成する。
【００３５】
図３は、本発明の実施の形態における長靴１００の足首上覆部１２の外周を短く調整した後に長靴１００の足首付近を調整する様子を示す図である。図３（ａ）は、本発明の実施の形態における長靴１００の足首上覆部１２の外周を短く調整した後の足首付近の長靴１００の様子を示す図である。
【００３６】
本発明の実施の形態における長靴１００は、長靴１００の形状を略筒形状としたため、本発明の実施の形態における長靴１００の足首上覆部１２の外周を短く調整しただけでは、靴覆部１３は靴に合わせた形状になっていない。すなわち、図３（ａ）に示すように足首から足の甲にかけて長靴本体部１０は靴にフィットせず、だぶついた状態になっている。
【００３７】
このため、図３（ｂ）に示すように足首締付部材４１および４２を結合させて足首付近を靴覆部１３の表面から締め付ける。こうすることによって、図３（ｂ）に示すように足首から足の甲にかけて長靴本体部１０は靴にフィットするようになる。
【００３８】
図４は、本発明の実施の形態における長靴本体部１０における空気循環補助部１４を示す図である。図４（ａ）は、空気循環補助部１４の長靴本体部１０における位置を示す図である。空気循環補助部１４は、上述のように長靴本体部１０の足首周り付近に設けられた長靴本体部１０の弛みである。
【００３９】
図４（ｂ）は、本発明の実施の形態における長靴本体部１０を正面図である。長靴本体部１０に空気循環補助部１４を設けることによって、長靴１００と足の隙間から流入した空気が長靴１００内部で循環しやすくなる。これにより、長靴１００内部の通気性が向上することになる。
【００４０】
図５は、本発明の別の実施の形態における長靴２００を示す図である。図５（ａ）は、長靴２００の斜視図である。なお、本発明の実施の形態における長靴１００と同一の構造のものには長靴１００と同一の符号を用いるものとする。長靴１００と長靴２００の相違点は、外周調整部材３０と外周調整部材２３０との構造である。
【００４１】
本発明の別の実施の形態における長靴２００における外周調整部材２３０は、結合部材２３１と被結合部材２３２とを備える。結合部材２３１および被結合部材２３２は、図５（ａ）において長靴本体部１０の上底面の縁付近に設けられているが、その他の位置に設けられていてもよい。また、結合部材２３１および被結合部材２３２は、図５（ａ）において長靴形成芯１１と一体化した状態になっているが、一体化していない構造であってもよい。
【００４２】
図５（ｂ）は、結合部材２３１および被結合部材２３２の構造を示す図である。結合部材２３１は、直方体の向かい合う一対の側面に複数の三角柱形状の突起を連続して並べた構造をしている。被結合部材２３２は、角筒形状の向かい合う一対の内側側面に複数の三角柱形状の突起を連続して並べた構造をしている。結合部材２３１を被結合部材２３２の内部に挿入すると、結合部材２３１と被結合部材２３２とは結合する。
【００４３】
図５（ｃ）は、結合部材２３１と被結合部材２３２とが結合した様子を示す平面図である。結合部材２３１を被結合部材２３２の内部に挿入すると、結合部材２３１の連続して並んだ複数の三角柱形状の突起が被結合部材２３２の連続して並んだ複数の三角柱形状の突起と噛み合い固定される。結合部材２３１と被結合部材２３２とが結合する長さは、所定の引張力、または所定の押力を結合部材２３１と被結合部材２３２とに加えて結合部材２３１および被結合部材２３２の三角柱形状の突起が噛み合う長さを変化させることにより調整する。長靴２００の場合、結合部材２３１と被結合部材２３２とが結合する長さを調整することにより、足首上覆部１２の外周を細かく調整することができる。
【００４４】
このように、本発明の実施の形態によれば、長靴本体部１０が略筒形状をしているため、靴を履いた状態でも容易に長靴に足を挿入することができる。また、外周調整部材３０および２３０により、靴を履いた状態で長靴本体部１０に足を挿入した後に足首上覆部１２の外周を容易に調整することができる。また、靴覆部１３も足首締付部材４１および４２により容易に締め付けることができる。また、長靴本体部１０の材質として、例えばゴム引布を用いれば、長靴の防水性および通気性を確保することができるとともに長靴の軽量化を図ることもできる。
【００４５】
なお、本発明の実施の形態は本発明を具現化するための一例を示したものであり、これに限定されるものではなく本発明の要旨を逸脱しない範囲において種々の変形を施すことができる。
【産業上の利用可能性】
【００４６】
本発明の活用例として、例えば靴を履いた状態で長靴を履く際に本発明を適用することができる。
【図面の簡単な説明】
【００４７】
【図１】本発明の実施の形態における長靴１００を示す図である。
【図２】本発明の実施の形態における長靴１００の足首上覆部１２の外周を短く調整する様子を示す図である。
【図３】本発明の実施の形態における長靴１００の足首上覆部１２の外周を短く調整した後に長靴１００の足首付近を調整する様子を示す図である。
【図４】本発明の実施の形態における長靴本体部１０における空気循環補助部１４を示す図である。
【図５】本発明の別の実施の形態における長靴２００を示す図である。
【図６】従来の長靴９００を示す図である。
【符号の説明】
【００４８】
１０  長靴本体部
１１  長靴形成芯
１２  足首上覆部
１３  靴覆部
１４  空気循環補助部
２０  長靴底部
３０、２３０  外周調整部材
３１、２３１  結合部材
３２、２３２  被結合部材
３３、３４  ボタン
３５、３６  ボタン受け部材
３７、３８  挿通孔
４１、４２  足首締付部材
１００、２００  長靴
【図１】
2008061718.tif 000003
【図２】
2008061718.tif 000004
【図３】
2008061718.tif 000005
【図４】
2008061718.tif 000006
【図５】
2008061718.tif 000007
【図６】
2008061718.tif 000008